(57)【特許請求の範囲】
【請求項１】
川床より下部に備えられ内部が防水されている貫通穴と、前記貫通穴の内部を掘削により川床の下部から川底まで移動する取水管とを具備する河川取水装置
【請求項２】
川床より下部に備えられ内部が防水されている貫通管と、前記貫通管の内部を掘削により川床の下部から川底まで移動する取水管とを具備する河川取水装置 
【請求項３】
前記貫通穴或いは前記貫通管の内部を上下に移動する前記取水管の先端取水口の上部には掘削部材を着脱可能に配置し前記掘削部材によって川床の下部を掘削することによって前記取水管を川底に向かって推進移動すると共に自重により落下する掘削土を前記先端取水口より排出することを特徴とする請求項１或いは請求項２記載の河川取水装置の掘削方法
【請求項４】
川床より下部に備えられ内部が防水されている貫通穴或いは貫通管と、先端取水口の上部には掘削部材を着脱可能に配置し前記貫通穴或いは前記貫通管の内部を掘削により川床の下部から川底まで移動する取水管とを有し、前記取水管の先端取水口を河川の水面より上部に移動させて前記掘削部材を前記先端取水口から着脱した後、前記取水管を下方に移動して前記先端取水口を取水位置に配置することを特徴とする河川の取水方法
【請求項５】
川床より下部に備えられ内部が防水されている貫通穴或いは貫通管と、前記貫通穴或いは前記貫通管の内部を掘削により川床の下部から川底まで移動する移動貫通管と、前記移動貫通管の内部を上下に移動可能な取水管とを具備することを特徴とする河川取水装置
【請求項６】
前記移動貫通管の上部には掘削部材を着脱可能に配置し前記掘削部材によって川床の下部を掘削することによって前記移動貫通管を川底に向かって推進移動すると共に自重により落下する掘削土を前記取水管の先端取水口より排出することを特徴とする請求項５記載の河川取水装置の掘削方法
【請求項７】
川床より下部に備えられ内部が防水されている貫通穴或いは貫通管と、前記貫通穴或いは前記貫通管の内部を掘削により川床の下部から川底まで移動する上部には掘削部材を着脱可能に配置した移動貫通管と、前記移動貫通管の内部を上下に移動可能な取水管とを有し、前記移動貫通管を河川の水面より上部に移動させて前記掘削部材を前記移動貫通管から着脱した後、前記移動貫通管及び前記取水管を下方向に移動させ前記移動貫通管及び前記取水管を取水位置に配置することを特徴とする河川の取水方法
【請求項８】
川床より下部に備えられ内部が防水されている貫通穴或いは貫通管と、前記貫通穴或いは前記貫通管の内を掘削により川床の下部から川底まで移動する上部に大きな外形を有すると共に下部に小さな外形を有する取水管と、前記貫通穴或いは前記貫通管の内径と同じ外形を有すると共に前記取水管下部の小さな外形と同じ内径を有し前記貫通穴或いは前記貫通管に固設される固設貫通管とを備え、前記取水官が前記固設貫通管の内部を上下に移動することを特徴とする河川取水装置
【請求項９】
川床より下部に備えられ内部が防水されている貫通穴或いは貫通管と、上部に掘削部材を着脱可能に配置した大きな外形を有すると共に下部に小さな外形を有し前記貫通穴或いは前記貫通管の内を掘削により川床の下部から川底まで移動する取水管と、前記貫通穴或いは前記貫通管の内径と同じ外形を有すると共に前記取水管下部の小さな外形と同じ内径を有する固設貫通管とを備え、前記固設貫通管は前記掘削部材が掘削して川床に向かって上方向に移動する途中前記地下室の上部壁に設けられた前記貫通穴或いは前記貫通管に固設され、固設された後の前記固設貫通管の内部を前記掘削部材によって川床の下部を掘削することによって前記取水管が川底に向かって推進移動すると共に自重により落下する掘削土を前記先端取水口より排出することを特徴とする請求項８記載の河川取水装置の掘削方法
【請求項１０】
川床より下部に備えられ内部が防水されている貫通穴或いは貫通管と、前記貫通穴或いは前記貫通管の内を掘削により川床の下部から川底まで移動する上部に掘削部材を着脱可能に配置した大きな外形を有すると共に下部に小さな外形を有する取水管と、前記貫通穴或いは前記貫通管の内径と同じ外形を有すると共に前記取水管下部の小さな外形と同じ内径を有し前記貫通穴或いは前記貫通管に固設される固設貫通管とを備え、前記移動貫通管を河川の水面より上部に移動させて前記掘削部材を前記取水管から着脱した後、前記取水管を下方向に移動させ前記先端取水口を取水位置に配置することを特徴とする河川の取水方法
【請求項１１】
川床より下部に備えられ内部が防水されている貫通穴或いは貫通管と、上部に大きな外形を有すると共に下部に小さな外形を有し前記貫通穴或いは前記貫通管の内を掘削により川床の下部から川底まで移動する移動貫通管と、前記貫通穴或いは前記貫通管の内径と同じ外形を有すると共に前記移動貫通管の下部の外形と同じ内径を有し前記貫通穴或いは前記貫通管に固設される固設貫通管と、前記移動貫通管の内部を上下に移動可能な取水管とを備え、前記移動貫通管は前記固設貫通管の内部を掘削により川底まで移動すると共に前記取水管は前記移動貫通管の内部を上下に移動可能なことを特徴とする河川取水装置
【請求項１２】
川床より下部に備えられ内部が防水されている貫通穴或いは貫通管と、着脱可能な掘削部材を上端に有すると共に上部に大きな外形と下部の小さな外形を有し前記貫通穴或いは前記貫通管の内を掘削により川床の下部から川底まで移動する移動貫通管と、前記貫通穴或いは前記貫通管の内径と同じ外形を有し前記移動貫通管の下部の小さな外形と同じ内径を有する固設貫通管と、前記移動貫通管の内部を上下に移動可能な取水管を有し、前記移動貫通管が川床に向かって上方向に移動する途中前記固設貫通管を前記地下室の上部壁に設けられた前記貫通穴或いは前記貫通管に固設した後、固設された後の前記固設貫通管の内部を前記掘削部材によって川床の下部を掘削することによって前記移動貫通管が川底に向かって推進移動すると共に自重により落下する掘削土を前記取水官の先端取水口より排出することを特徴とする請求項１１記載の河川取水装置の掘削方法
【請求項１３】
川床より下部に備えられ内部が防水されている貫通穴或いは貫通管と、着脱可能な掘削部材を上端に有すると共に上部に大きな外形と下部の小さな外形を有し前記貫通穴或いは前記貫通管の内を掘削により川床の下部から川底まで移動する移動貫通管と、前記貫通穴或いは前記貫通管の内径と同じ外形を有すると共に前記移動貫通管の下部の小さな外形と同じ内径を有し前記貫通穴或いは前記貫通管に固設される固設貫通管と、前記移動貫通管の内部を上下に移動可能な取水管とを備え、前記移動貫通管を河川の水面より上部に移動させて前記掘削部材を前記移動貫通管から着脱した後、前記移動貫通管及び前記取水管を下方向に移動させ前記移動貫通管及び前記取水管の先端取水口を取水位置に配置することを特徴とする河川の取水方法
【請求項１４】
前記固設貫通管は外形が地下室の内形と同じであり、前記地下室の上端部で固設されることを特徴とする請求項８或いは請求項１１記載の河川取水装置
【請求項１５】
前記取水管が上部に先端取水口を有するとともに下部に開閉可能な開閉弁部材を有することを特徴とする請求項１、請求項２、請求項５、請求項８、請求項１１或いは請求項１４記載の河川取水装置
【請求項１６】
先端取水口に取替え可能なスクリーンの取替える手段を具備する取水管を有し前記取水管が前記貫通穴、前記貫通管, 前記移動貫通管或いは前記固設貫通管の内部を上下に移動することを特徴とする請求項１５記載の河川取水装置
【請求項１７】
前記取水管の先端取水口を水面より上部に移動させて前記取水先端口に取り付けられたスクリーンを清掃又は取替えるとともに、前記先端取水口を取水位置に復帰させるため前記取水管を下方向に移動することを特徴とする請求項１６記載の河川取水装置
【請求項１８】
前記取水管が上部に先端取水口を有するとともに下部に開閉可能な開閉弁部材を有することを特徴とする請求項４、請求項７、請求項１０或いは請求項１３記載の河川の取水方法
【請求項１９】
先端取水口に取替え可能なスクリーンの取替える手段を具備する取水管を有し前記取水管が前記貫通穴、前記貫通管,前記移動貫通管或いは前記固設貫通管の内部を上下に移動することを特徴とする請求項１８記載の河川の取水方法
【請求項２０】
前記取水管の先端取水口を水面より上部に移動させて前記取水先端口に取り付けられたスクリーンを清掃又は取替えるとともに、前記先端取水口を取水位置に復帰させるため前記取水管を下方向に移動することを特徴とする請求項１９記載の河川の取水方法
【請求項２１】
掘削により川床の下部から川底まで移動する取水管を備えたことを特徴とする河川取水装置
【請求項２２】
掘削により川床の下部から川底まで移動する移動貫通管と、前記移動貫通管の内部を上下に移動可能な取水管とを備えたことを特徴とする河川取水装置
【請求項２３】
掘削により川床の下部から川底まで移動する上部に大きな外形を有すると共に下部に小さな外形を有する取水管と、前記取水管下部の小さな外形と同じ内径を有し地中に固設される固設貫通管とを備え、前記取水官が前記固設貫通管の内部を上下に移動することを特徴とする河川取水装置
【請求項２４】
上部に大きな外形を有すると共に下部に小さな外形を有し掘削により川床の下部から川底まで移動する移動貫通管と、前記移動貫通管の下部の外形と同じ内径を有し地中に固設される固設貫通管と、前記移動貫通管の内部を上下に移動可能な取水管とを備え、前記移動貫通管は前記固設貫通管の内部を掘削により川底まで移動すると共に前記取水管は前記移動貫通管の内部を上下に移動可能なことを特徴とする河川取水装置
【発明の詳細な説明】
【技術分野】
【０００１】
本発明は川床より下部から掘削により川底まで移動する取水官を備えた河川取水装置及び河川の取水方法に関する。
【背景技術】
【０００２】
河川から水を取って水力発電所等に供給するための取水システムであって、取水設備を川底に埋設するようにした川底埋設型取水装置（特許文献1）、及び河川の底面に設置する枠体と、前記枠体の上部に備える除塵スクリーンを具備し前記除塵スクリーンを通過した水を枠体に備えた取水経路を通して貯水槽に供給する構成とする取水装置（特許文献２）はすでに提案されている。
又、河川取水装置では塵芥等の流入で問題点があり、この問題を解決しようとする提案が多数されている。（特許文献２、３，4等）
なお、上下に移動可能な河川取水装置としては、川底下に設けた固定取水筒内に,休止時は川底面より下方にあって閉止すると共に稼働時は川底面から上方に位置して開口する取水口を側面に備えかつ天蓋を有する可動取水筒を設け、前記固定取水筒にはその下部に取水管を接続し。その内部に前記可動取水筒を浮動させる伸縮可能な浮動空気供給管を設けると共に、エアレーション(河川浄化)用空気供給管を設け。前記取水口に除塵スクリーンを設けた河川水の取水装置も提案されている。（特許文献５）
【先行技術文献】
【特許文献】
【０００３】
【特許文献１】特公平０７−３３６５４
【特許文献２】特３６２９４５２
【特許文献３】特２７８３１４９
【特許文献４】特３７１３５８３
【特許文献５】特３４７００４４
【発明の概要】
【発明が解決しようとする課題】
【０００４】
本発明は取水管先端を自然に近くかつ周囲の景観に調和した取水位置に取水時に配置する河川取水装置及び河川の取水方法を提供することを目的とする。
【課題を解決するための手段】
【０００５】
請求項１記載の河川取水装置は、川床より下部に備えられ内部が防水されている貫通穴と、前記貫通穴の内部を掘削により川床の下部から川底まで移動する取水管とを具備する。
【０００６】
請求項１記載の河川取水装置は取水管が川床より下部に備えられ内部が防水されている貫通穴の内部を上下に移動可能であるので取水時に自然に近くかつ周囲の景観に調和した取水位置に取水管を配置することができる。
【０００７】
請求項２記載の河川取水装置は、川床より下部に備えられ内部が防水されている貫通管と、前記貫通管の内部を掘削により川床の下部から川底まで移動する取水管とを具備する。
【０００８】
請求項２記載の河川取水装置は取水管が川床より下部に備えられ内部が防水されている貫通管の内部を上下に移動可能であるので取水時に自然に近くかつ周囲の景観に調和した取水位置に取水管を配置することができる。
【０００９】
請求項３記載の河川取水装置の掘削方法は、前記貫通穴或いは前記貫通管の内部を上下に移動する前記取水管の先端取水口の上部には掘削部材を着脱可能に配置し前記掘削部材によって川床の下部を掘削することによって前記取水管を川底に向かって推進移動すると共に自重により落下する掘削土を前記先端取水口より排出することを特徴とする請求項１或いは請求項２記載の河川取水装置の掘削方法である。
【００１０】
請求項４記載の河川の取水方法は、川床より下部に備えられ内部が防水されている貫通穴或いは貫通管と、先端取水口の上部には掘削部材を着脱可能に配置し前記貫通穴或いは前記貫通管の内部を掘削により川床の下部から川底まで移動する取水管とを有し、前記取水管の先端取水口を河川の水面より上部に移動させて前記掘削部材を前記先端取水口から着脱した後、前記取水管を下方に移動して前記先端取水口を取水位置に配置することを特徴とする。
【００１１】
請求項５記載の河川取水装置は、川床より下部に備えられ内部が防水されている貫通穴或いは貫通管と、前記貫通穴或いは前記貫通管の内部を掘削により川床の下部から川底まで移動する移動貫通管と、前記移動貫通管の内部を上下に移動可能な取水管とを具備することを特徴とする。
【００１２】
請求項５記載の河川取水装置は川床より下部に設けられた内部が防水されている貫通穴或いは貫通管の内部を移動貫通管が上下に移動可能であり、この移動貫通管の内部を取水管が上下に移動可能であるので取水時に自然に近くかつ周囲の景観に調和した取水位置に移動貫通管及び取水管を配置することができる。また取水時には自然に近くかつ周囲の景観に調和した取水位置である川床に近い取水位置或いは川床の下部の取水位置に移動貫通管の先端を配置すると共に取水管の先端を前記移動貫通管の先端より下部に配置ことにより取水管の先端と移動貫通管の先端との間に砂等を堆積させ前記砂等を濾過した河川水を取水できる。
【００１３】
請求項６記載の河川取水装置の掘削方法は、前記移動貫通管の上部には掘削部材を着脱可能に配置し前記掘削部材によって川床の下部を掘削することによって前記移動貫通管を川底に向かって推進移動すると共に自重により落下する掘削土を前記取水管の先端取水口より排出することを特徴とする請求項５記載の河川取水装置の掘削方法である。
請求項７記載の河川の取水方法は、川床より下部に備えられ内部が防水されている貫通穴或いは貫通管と、前記貫通穴或いは前記貫通管の内部を掘削により川床の下部から川底まで移動する上部には掘削部材を着脱可能に配置した移動貫通管と、前記移動貫通管の内部を上下に移動可能な取水管とを有し、前記移動貫通管を河川の水面より上部に移動させて前記掘削部材を前記移動貫通管から着脱した後、前記移動貫通管及び前記取水管を下方向に移動させ前記移動貫通管及び前記取水管を取水位置に配置することを特徴とする。
【００１４】
請求項８記載の河川取水装置は、川床より下部に備えられ内部が防水されている貫通穴或いは貫通管と、前記貫通穴或いは前記貫通管の内を掘削により川床の下部から川底まで移動する上部に大きな外形を有すると共に下部に小さな外形を有する取水管と、前記貫通穴或いは前記貫通管の内径と同じ外形を有すると共に前記取水管下部の小さな外形と同じ内径を有し前記貫通穴或いは前記貫通管に固設される固設貫通管とを備え、前記取水官が前記固設貫通管の内部を上下に移動することを特徴とする。
【００１５】
請項８記載の河川取水装置は川床より下部に設けられた貫通穴或いは貫通管に固設された固設貫通管の内部を取水管が上下に可能であるので取水時に自然に近くかつ周囲の景観に調和した取水位置に取水管を配置することができる。
【００１６】
請求項９記載の河川取水装置の掘削方法は、川床より下部に備えられ内部が防水されている貫通穴或いは貫通管と、上部に掘削部材を着脱可能に配置した大きな外形を有すると共に下部に小さな外形を有し前記貫通穴或いは前記貫通管の内を掘削により川床の下部から川底まで移動する取水管と、前記貫通穴或いは前記貫通管の内径と同じ外形を有すると共に前記取水管下部の小さな外形と同じ内径を有する固設貫通管とを備え、前記固設貫通管は前記掘削部材が掘削して川床に向かって上方向に移動する途中前記地下室の上部壁に設けられた前記貫通穴或いは前記貫通管に固設され、固設された後の前記固設貫通管の内部を前記掘削部材によって川床の下部を掘削することによって前記取水管が川底に向かってとする請求項８記載の河川取水装置の掘削方法である。
【００１７】
請求項１０記載の河川の取水方法は、川床より下部に備えられ内部が防水されている貫通穴或いは貫通管と、前記貫通穴或いは前記貫通管の内を掘削により川床の下部から川底まで移動する上部に掘削部材を着脱可能に配置した大きな外形を有すると共に下部に小さな外形を有する取水管と、前記貫通穴或いは前記貫通管の内径と同じ外形を有すると共に前記取水管下部の小さな外形と同じ内径を有し前記貫通穴或いは前記貫通管に固設される固設貫通管とを備え、前記移動貫通管を河川の水面より上部に移動させて前記掘削部材を前記取水管から着脱した後、前記取水管を下方向に移動させ前記先端取水口を取水位置に配置することを特徴とする
【００１８】
請求項１１記載の河川取水装置は、川床より下部に備えられ内部が防水されている貫通穴或いは貫通管と、上部に大きな外形を有すると共に下部に小さな外形を有し前記貫通穴或いは前記貫通管の内を掘削により川床の下部から川底まで移動する移動貫通管と、前記貫通穴或いは前記貫通管の内径と同じ外形を有すると共に前記移動貫通管の下部の外形と同じ内径を有し前記貫通穴或いは前記貫通管に固設される固設貫通管と、前記移動貫通管の内部を上下に移動可能な取水管とを備え、前記移動貫通管は前記固設貫通管の内部を掘削により川底まで移動すると共に前記取水管は前記移動貫通管の内部を上下に移動可能なことを特徴とする。
【００１９】
請求項１１記載の河川取水装置は川床の下部に設けられた貫通穴或いは貫通管に固設された固設貫通管の内部を移動貫通管が上下に移動可能でありこの移動貫通管の内部を取水管が上下に移動可能であるので取水時には自然に近くかつ周囲の景観に調和した取水位置である川底に近い取水位置或いは川底の下部の取水位置に移動貫通管の先端を配置すると共に取水管の先端を前記移動貫通管の先端より下部に配置することにより取水管の先端と移動貫通管の先端との間に砂等を堆積させ前記砂等を濾過した河川水を取水できる。
【００２０】
請求項１２記載の河川取水装置の掘削方法は、川床より下部に備えられ内部が防水されている貫通穴或いは貫通管と、着脱可能な掘削部材を上端に有すると共に上部に大きな外形と下部の小さな外形を有し前記貫通穴或いは前記貫通管の内を掘削により川床の下部から川底まで移動する移動貫通管と、前記貫通穴或いは前記貫通管の内径と同じ外形を有し前記移動貫通管の下部の小さな外形と同じ内径を有する固設貫通管と、前記移動貫通管の内部を上下に移動可能な取水管を有し、前記移動貫通管が川床に向かって上方向に移動する途中前記固設貫通管を前記地下室の上部壁に設けられた前記貫通穴或いは前記貫通管に固設した後、固設された後の前記固設貫通管の内部を前記掘削部材によって川床の下部を掘削することによって前記移動貫通管が川底に向かって推進移動すると共に自重により落下する掘削土を前記取水官の先端取水口より排出することを特徴とする請求項１１記載の河川取水装置の掘削方法である。
【００２１】
請求項１３記載の河川の取水方法は、川床より下部に備えられ内部が防水されている貫通穴或いは貫通管と、着脱可能な掘削部材を上端に有すると共に上部に大きな外形と下部の小さな外形を有し前記貫通穴或いは前記貫通管の内を掘削により川床の下部から川底まで移動する移動貫通管と、前記貫通穴或いは前記貫通管の内径と同じ外形を有すると共に前記移動貫通管の下部の小さな外形と同じ内径を有し前記貫通穴或いは前記貫通管に固設される固設貫通管と、前記移動貫通管の内部を上下に移動可能な取水管とを備え、前記移動貫通管を河川の水面より上部に移動させて前記掘削部材を前記移動貫通管から着脱した後、前記移動貫通管及び前記取水管を下方向に移動させ前記移動貫通管及び前記取水管の先端取水口を取水位置に配置することを特徴とする。
【００２２】
請求項１４記載の河川取水装置は、前記固設貫通管は外形が地下室の内形と同じであり、前記地下室の上端部で固設されることを特徴とする請求項８或いは請求項１１記載の河川取水装置である。
【００２３】
請求項１５記載の河川取水装置は、前記取水管が上部に先端取水口を有するとともに下部に開閉可能な開閉弁部材を有することを特徴とする請求項１、請求項２、請求項５、請求項８、請求項１１或いは請求項１４記載の河川取水装置である。
【００２４】
請求項１６記載の河川取水装置は、先端取水口に取替え可能なスクリーンの取替える手段を具備する取水管を有し前記取水管が前記貫通穴、前記貫通管, 前記移動貫通管或いは前記固設貫通管の内部を上下に移動することを特徴とする請求項１５記載の河川取水装置である。
【００２５】
請求項１７記載の河川取水装置は、前記取水管の先端取水口を水面より上部に移動させて前記取水先端口に取り付けられたスクリーンを清掃又は取替えるとともに、前記先端取水口を取水位置に復帰させるため前記取水管を下方向に移動することを特徴とする請求項１６記載の河川取水装置である。
【００２６】
請求項１８記載の河川の取水方法は、前記取水管が上部に先端取水口を有するとともに下部に開閉可能な開閉弁部材を有することを特徴とする請求項４、請求項７、請求項１０或いは請求項１３記載の河川の取水方法である。
【００２７】
請求項１９記載の河川の取水方法は、先端取水口に取替え可能なスクリーンの取替える手段を具備する取水管を有し前記取水管が前記貫通穴、前記貫通管、前記移動貫通管或いは前記固設貫通管の内部を上下に移動することを特徴とする請求項１８記載の河川の取水方法である。
【００２８】
請求項２０記載の河川の取水方法は、前記取水管の先端取水口を水面より上部に移動させて前記取水先端口に取り付けられたスクリーンを清掃又は取替えるとともに、前記先端取水口を取水位置に復帰させるため前記取水管を下方向に移動することを特徴とする請求項１９記載の河川の取水方法である。
【００２９】
請求項２１記載の河川取水装置は、掘削により川床の下部から川底まで移動する取水管を備えたことを特徴とする。
【００３０】
請求項２２記載の河川取水装置は、掘削により川床の下部から川底まで移動する移動貫通管と、前記移動貫通管の内部を上下に移動可能な取水管とを備えたことを特徴とする。
【００３１】
請求項２３記載の掘削により川床の下部から川底まで移動する上部に大きな外形を有すると共に下部に小さな外形を有する取水管と、前記取水管下部の小さな外形と同じ内径を有し地中に固設される固設貫通管とを備え、前記取水官が前記固設貫通管の内部を上下に移動することを特徴とする。
河川取水装置
【００３２】
請求項２４記載の河川取水装置は、上部に大きな外形を有すると共に下部に小さな外形を有し掘削により川床の下部から川底まで移動する移動貫通管と、前記移動貫通管の下部の外形と同じ内径を有し地中に固設される固設貫通管と、前記移動貫通管の内部を上下に移動可能な取水管とを備え、前記移動貫通管は前記固設貫通管の内部を掘削により川底まで移動すると共に前記取水管は前記移動貫通管の内部を上下に移動可能なことを特徴とする。
【発明を実施するための形態】
【００３３】
本発明による河川取水装置の第一の実施の形態は、川床の下部に地下室を掘削し、前記地下室の上部壁に内部が防水されている貫通穴或いは貫通管を設け、前記貫通穴或いは前記貫通管の内部を上端部に着脱可能で先端部にカッターと周辺部に水噴射掘削部を有する掘削部材を備え上部の先端取水口から自重により落下する掘削土を下方に排出すると共に下部に開閉可能な開閉弁部材は具備する取水管が前記掘削部材によって掘削することによって川床に向かって上方向に移動する。
【００３４】
前記掘削部材が川面より上方に移動したとき前記掘削部材を前記先端取水口から着脱し、前記先端取水口を取水位置に復帰させるため前記取水管を下方向に移動させる。
【００３５】
掘削により川底まで移動する前記取水管は前記貫通穴或いは前記貫通管の内部を上下方向に移動可能であるので取水時には自然に近くかつ周囲の景観に調和した取水位置である川床に近い取水位置或いは川床の下部の取水位置で前記取水管の前記先端取水口を配置すると共に前記取水管の前記先端取水口を河川の水面より上部に移動させて定期的に前記先端取水口に取り付けられたスクリーンを清掃又は新たにスクリーンを取り付けた後、前記取水管を取水位置に復帰させることができる。
【００３６】
前記取水管の形状は円形、楕円形、矩形、正方形等任意の形状が本発明の要旨の範囲である。
【００３７】
本発明による河川取水装置の第二の実施の形態は、川床の下部に地下室を掘削し、前記地下室の上部壁に内部が防水されている貫通穴或いは貫通管を設け、前記貫通穴或いは前記貫通管の内部を川床に向かって上方向に移動する上端部に着脱可能で先端部にカッターと周辺部に水噴射掘削部を有する掘削部材を具備する移動貫通管と、前記移動貫通管の内部を上下に移動し上部の先端取水口より自重により落下する掘削土を下方に排出するとともに下部に開閉可能な開閉弁部材は具備する取水管が前記掘削部材によって掘削することによって川床に向かって上方向に移動する。
前記掘削部材が川面より上方に移動したとき前記掘削部材を前記移動貫通管から着脱し、前記移動貫通管及び前記取水管を取水位置に復帰させるため下方向に移動させる。
【００３８】
取水時には自然に近くかつ周囲の景観に調和した取水位置である川床に近い取水位置或いは川床の下部の取水位置に前記移動貫通管を配置すると共に前記取水管の先端取水口を前記移動貫通管の先端部より下部に配置することにより前記先端取水口と前記移動貫通管の先端部との間に砂等を堆積させ前記砂等を濾過した河川水を取水可能である。
【００３９】
また前記取水管は前記移動貫通管の内部を上下方向に移動可能であるので定期的に前記先端取水口に取り付けられたスクリーンを清掃又は新たにスクリーンを取り付けた後前記取水管を取水位置に復帰させることができる。
【００４０】
本発明による河川取水装置の第三の実施の形態は、川床の下部に掘削された地下室と、前記地下室の上部壁に設けられた貫通穴或いは貫通管と、前記貫通穴或いは前記貫通管の内部を上端部に着脱可能で大きな外形を有する掘削部材と同じ外形の上部先端取水口を具備すると共に下部に開閉可能な開閉弁部材を具備し小さな外形を有する取水管が前記掘削部材によって掘削することによって川床に向かって上方向に推進移動すると共に前記先端取水口より自重により落下する掘削土を排出する
【００４１】
また上部の先端取水口の下側に前記貫通穴或いは前記貫通管の内径と同じ外形で前記取水管下部の小さな外形を摺動する固設貫通管を備え、前記固設貫通管を前記取水管が川床に向かって上方向に移動する途中前記地下室の上部壁に設けられた前記貫通穴或いは前記貫通管に固設した後、前記掘削部材によりさらに川床に向かって掘削し前記掘削部材が川面より上方に移動したとき前記掘削部材を前記取水管から着脱し、前記取水管を取水位置に復帰させるため下方向に移動させる。
【００４２】
前記取水管は前記固設貫通管の内部を上下方向に移動可能であるので、取水時には自然に近くかつ周囲の景観に調和した取水位置である川床に近い取水位置或いは川床の下部の取水位置で前記取水管を配置すると共に前記取水管の前記先端取水口を河川の水面より上部に移動させて定期的に先端取水口に取り付けられたスクリーンを清掃又は新たにスクリーンを取り付けた後、前記取水管を取水位置に復帰させることができる。
【００４３】
本発明による河川取水装置の第三の実施の形態は、前記固設貫通管の外形が前記地下室の内形と同じであり、前記固設貫通管が前記地下室の上端部で固設される第三の実施の形態も可能である。
【００４４】
本発明による河川取水装置の第四の実施の形態は、川床の下部に地下室を掘削し、前記地下室の上部壁に貫通穴或いは貫通管を設け、前記貫通穴或いは前記貫通管の内部を上部に大きな外形と下部の小さな外形を有する移動貫通管が配置され、前記移動貫通管の上端部で着脱可能な同じ外形を有する掘削部材を具備する。
【００４５】
前記移動貫通管の内径と同じ小さな外形を有する取水管が上部に先端取水口と下部に開閉可能な開閉弁部材とを備えて前記移動貫通管内を摺動可能に配置され、前記掘削部材が掘削することによって前記移動貫通管及び前記取水管が川床にむかって上方向に移動する。
【００４６】
また前記地下室の上部壁に設けられた前記貫通穴或いは前記貫通管の内径と同じ外形で前記移動貫通管の下部の小さな外形を摺動する固設貫通管を備え、前記移動貫通管及び前記取水管が川床に向かって上方向に移動する途中前記固設貫通管は地下室の上部壁に設けられた前記貫通穴或いは前記貫通管に固設された後、前記掘削部材が川床に向かってさらに掘削し前記掘削部材が川面より上方に移動したとき前記掘削部材を前記移動貫通管から着脱し、取水位置に復帰させるため前記移動貫通管及び前記取水管を下方向に移動させる。
【００４７】
取水時には自然に近くかつ周囲の景観に調和した取水位置である川床に近い取水位置或いは川床の下部の取水位置に前記移動貫通管を配置すると共に前記取水管の先端取水口を前記移動貫通管の先端部より下部に配置することにより前記先端取水口と前記移動貫通管の先端部との間に砂等を堆積させ前記砂等を濾過した河川水を取水可能である。
【００４８】
また前記取水管は前記移動貫通管の内部を上下方向に移動可能であるので定期的に先端取水口に取り付けられたスクリーンを清掃又は新たにスクリーンを取り付けるため前記先端取水口を河川の水面より上部に移動させた後、前記取水管を取水位置に復帰させることができる。
【００４９】
本発明による河川取水装置の第四の実施の形態は、前記固設貫通管の外形が前記地下室の内形と同じであり、前記固設貫通管が前記地下室の上端部で固設される第四の実施の形態も可能である。
【００５０】
（実施例１）
本発明による河川取水装置の望ましい第一の実施例は、第一の実施の形態の実施例であり、まず川床の下部に比較的上下方向に広い地下室を掘削し、前記地下室の上部壁に内部が防水されている円形貫通穴或いは円形貫通管を設ける。
【００５１】
上端部に着脱可能な円形掘削部材を具備すると共に上部に前記円形掘削部材によって掘削された掘削土を排出する取水先端口と下部に開閉可能な開閉弁部材は具備する円形取水管が前記円形貫通穴或いは前記円形貫通管を貫通し、前記円形掘削部材によって掘削することによって川床に向かって上方向に移動する。
【００５２】
前記円形掘削部材は先端部にカッターと周辺部に水噴射掘削部を有するので先端部と共に周辺も掘削出来、前記円形取水管は川床に向かって上方向に容易に移動可能となる。
【００５３】
前記円形掘削部材が川面より上方に移動したとき前記円形掘削部材を着脱し、前記円形取水部材を取水位置に復帰させるため前記円形取水管を下方向に移動させる。
【００５４】
前記円形取水管は前記円形貫通穴或いは前記円形貫通管の内部を上下方向に移動可能であるので取水時には自然に近くかつ周囲の景観に調和した取水位置である川床に近い取水位置或いは川床の下部の取水位置で前記円形取水管の取水先端口を配置すると共に前記円形取水管の前記先端取水口を河川の水面より上部に移動させて定期的に先端取水口に取り付けられたスクリーンを清掃又は新たにスクリーンを取り付けた後、前記円形取水管を取水位置に復帰させることができる。
【００５５】
（実施例２）
本発よる河川取水装置の望ましい第二の実施例は、第二の実施の形態の実施例であり、まず川床の下部に比較的上下方向に広い地下室を掘削し、前記地下室の上部壁に内部が防水されている矩形貫通穴或いは矩形貫通管を設ける。
【００５６】
上端部に着脱可能な矩形掘削部材を具備する矩形移動貫通管が前記矩形貫通穴或いは前記矩形貫通管の内部を川床に向かって上方向に移動する。
【００５７】
上部の先端取水口より自重により落下する掘削土を排出するとともに下部に開閉可能な開閉弁部材を具備する前記矩形取水管が前記矩形移動貫通管の内部を上下に移動可能で、前記矩形掘削部材によって掘削することによって前記矩形移動貫通管及び前記矩形取水管が川床に向かって上方向に移動する。
【００５８】
前記矩形掘削部材が川面より上方に移動したとき前記矩形移動貫通管から前記矩形掘削部材を着脱し、前記矩形移動貫通管及び前記矩形取水管を取水位置に復帰させるため下方向に移動させる。
【００５９】
取水時には自然に近くかつ周囲の景観に調和した取水位置である川床に近い取水位置或いは川床の下部の取水位置に前記矩形移動貫通管を配置すると共に前記矩形取水管の先端取水口を前記矩形移動貫通管の先端部より下部に配置することにより前記先端取水口と前記矩形移動貫通管の先端部との間に砂等を堆積させ前記砂等を濾過した河川水を取水可能である。
【００６０】
また前記矩形取水管は前記矩形移動貫通管の内部を上下方向に移動可能であるので定期的に先端取水口に取り付けられたスクリーンを清掃又は新たにスクリーンを取り付けるため前記先端取水口を河川の水面より上部に移動させた後、前記矩形取水管を取水位置に復帰させることができる。
【００６１】
本発明による河川取水装置の望ましい第三の実施例は、第三の実施の形態の実施例であり、まず川床の下部に比較的上下方向に広い地下室を掘削し、前記地下室の上部壁に正方形貫通穴或いは正方形貫通管を設ける。
【００６２】
上端部に着脱可能な正方形掘削部材を具備する正方形移動貫通管が前記正方形貫通穴或いは前記正方形貫通管の内部を川床に向かって上方向に移動する。
【００６３】
前記正方形貫通穴或いは前記正方形貫通管の内部を前記正方形掘削部材と同じ外形の上部先端取水口を具備すると共に下部に開閉可能な開閉弁部材を具備し小さな外形を有する取水管が前記正方形掘削部材によって掘削することによって川床に向かって上方向に推進移動する。また前記上部取水先端部材の下側に前記地下室の上部壁の前記正方形貫通穴或いは前記正方形貫通管の内径と同じ外形で前記正方形取水管の下部の小さな正方形外形を摺動する正方形固設貫通管を備え、前記正方形固設貫通管は前記正方形取水管が川床に向かって上方向に移動する途中前記地下室の上部壁に設けられた前記正方形貫通穴或いは前記正方形貫通管に固設された後、前記正方形掘削部材によって川底に向かってさらに掘削すると共に掘削された掘削土は自重により前記先端取水口より排出され、前記正方形掘削部材が川面より上方に移動したとき前記正方形掘削部材を前記正方形取水管から着脱し、前記上部取水先端部材を取水位置に復帰させるため前記正方形取水管を下方向に移動させる。
【００６４】
前記正方形取水管は前記正方形固設貫通管の内部を上下方向に移動可能であるので取水時には自然に近くかつ周囲の景観に調和した取水位置である川床に近い取水位置或いは川床の下部の取水位置で前記取水管を配置すると共に前記正方形取水管の前記先端取水口を河川の水面より上部に移動させて定期的に先端取水口に取り付けられたスクリーンを清掃又は新たにスクリーンを取り付けた後、前記取水管を取水位置に復帰させることができる。
【００６５】
（実施例４）
本発明による河川取水装置の望ましい第四の実施例は、第四の実施の形態の実施例であり、まず川床の下部に比較的上下方向に広い地下室を掘削し、前記地下室の上部壁に内部が防水されている楕円形貫通穴或いは楕円形貫通管を設ける。
【００６６】
上端部に着脱可能な楕円形掘削部材を具備し上部に大きな外形を有する楕円形移動貫通管が前記楕円形貫通穴或いは前記楕円形貫通管の内部を川床に向かって上方向に移動する。
【００６７】
上部の先端取水口より自重により落下する掘削土を排出するとともに下部に開閉可能な開閉弁部材を具備し、前記楕円形移動貫通管の内径と同じ小さな外形を有する楕円形取水管が前記楕円形移動貫通管の内部を上下に移動可能で、前記楕円形掘削部材によって掘削することによって前記楕円形移動貫通管及び前記楕円形取水管が川床に向かって上方向に移動する。
【００６８】
また前記地下室の上部壁に設けられた前記楕円形貫通穴或いは前記楕円形貫通管の内径と同じ外形で前記楕円形移動貫通管の下部の小さな外形を内部で摺動させる楕円形固設貫通管を備え、前記楕円形移動貫通管及び前記楕円形取水管が川床に向かって上方向に移動する途中前記楕円形固設貫通管は地下室の上部壁に設けられた前記楕円形貫通穴或いは前記楕円形貫通管に固設された後、前記楕円形掘削部材が川床に向かってさらに掘削し、前記楕円形移動貫通管の内径と同じ小さな外形を有する前記楕円形取水管が上部に先端取水口と下部に開閉可能な開閉弁部材とを備えて前記楕円形移動貫通管内を摺動可能に配置されているので、前記楕円形掘削部材が掘削することによって前記楕円形移動貫通管及び前記
楕円形取水管が川床に向かって上方向に移動する。
【００６９】
前記楕円形掘削部材が川面より上方に移動したとき前記楕円形掘削部材を前記楕円形移動貫通管から着脱し、前記楕円形移動貫通管及び前記楕円形取水管を取水位置に復帰させるため下方向に移動させる。
【００７０】
取水時には自然に近くかつ周囲の景観に調和した取水位置である川床に近い取水位置或いは川床の下部の取水位置に前記楕円形移動貫通管を配置すると共に下に配置することにより前記先端取水口と前記楕円形移動貫通管の先端部との間に砂等を堆積させ前記砂等を濾過した河川水を取水可能である。
【００７１】
また前記楕円形取水管は前記楕円形移動貫通管の内部を上下方向に移動可能であるので定期的に先端取水口に取り付けられたスクリーンを清掃又は新たにスクリーンを取り付けるため前記先端取水口を河川の水面より上部に移動させた後、前記楕円形取水管を取水位置に復帰させることができる。
【００７２】
（実施例５）
本発明による河川取水装置の望ましい第五の実施例は、前述の第四の実施例の固設貫通管の外形が前記地下室の内形と同じで、前記固設貫通管が前記地下室の上端部で固設される第四の実施の形態の実施例である。
【００７３】
上端部に着脱可能な前記地下室の内形と同じ外形の矩形掘削部材を具備すると共に上部に前記地下室の内形と同じ外形を有し下部に小さな外形を有する矩形移動貫通管が前記地下室の内部を川床に向かって上方向に移動する。
【００７４】
上部の先端取水口より自重により落下する掘削土を排出するとともに下部に開閉可能な開閉弁部材を具備し、前記矩形移動貫通管の内径と同じ外形を有する矩形取水管が前記矩形移動貫通管の内部を上下に移動可能で、前記矩形掘削部材によって掘削することによって前記矩形移動貫通管及び前記矩形取水管が川床に向かって上方向に移動する。
また前記地下室の内径と同じ外形で前記矩形移動貫通管の下部の小さな外形を内部で摺動させる矩形固設貫通管を備え、前記矩形移動貫通管及び前記矩形取水管が川床に向かって上方向に移動する途中前記矩形固設貫通管は地下室の上端部に固設された後、前記矩形掘削部材が川床に向かってさらに掘削し、前記矩形移動貫通管の内径と同じ外形を有する前記矩形取水管が上部に先端取水口と下部に開閉可能な開閉弁部材とを備えて前記矩形移動貫通管内を摺動可能に配置されているので、前記矩形掘削部材が掘削することによって前記矩形移動貫通管及び前記矩形取水管が川床に向かって上方向に移動する。
【００７５】
前記矩形掘削部材が川面より上方に移動したとき前記矩形掘削部材を前記矩形移動貫通管から着脱し、前記矩形移動貫通管及び前記矩形取水管を取水位置に復帰させるため下方向に移動させる。
【００７６】
取水時には自然に近くかつ周囲の景観に調和した取水位置である川床に近い取水位置或いは川床の下部の取水位置に前記矩形移動貫通管を配置すると共に前記矩形取水管の先端取水口を前記矩形移動貫通管の先端部より下部に配置することにより前記先端取水口と前記矩形移動貫通管の先端部との間に砂等を堆積させ前記砂等を濾過した河川水を取水可能である。
【００７７】
また前記矩形取水管は前記矩形移動貫通管の内部を上下方向に移動可能であるので定期的に先端取水口に取り付けられたスクリーンを清掃又は新たにスクリーンを取り付けるため前記先端取水口を河川の水面より上部に移動させた後、前記矩形取水管を取水位置に復帰させることができる。